(57)【特許請求の範囲】
【請求項１】
壁面に所定間隔毎に直列的に取付ける長尺な複数の基板と、壁面に前記所定間隔内において取付ける手摺りブラケットと、前記複数の基板に保持され該複数の基板の配列方向に伸びて該複数の基板を覆うカバー部材と、を備える手摺りにおいて、
前記カバー部材が、第１カバー部材と第２カバー部材とを備え、
前記第１カバー部材が、前記手摺りブラケットよりも前記基板の幅方向一方側において、隣り合う基板間をも跨ぐようにしつつ前記複数の基板の表面を覆うように設定され、
前記第２カバー部材が、前記手摺りブラケットよりも前記基板の幅方向他方側において、隣り合う基板間をも跨ぐようにしつつ前記複数の基板の表面を覆うように設定され、
前記第１カバー部材と前記第２カバー部材との間に、該第１カバー部材と該第２カバー部材との間の目地を被覆する目地被覆部材が嵌め込まれている、
ことを特徴とする手摺り。
【請求項２】
請求項１において、
前記各基板の表面に、前記手摺りブラケットよりも該基板の幅方向一方側において、前記第１カバー部材を保持するための第１保持手段が、該基板の伸び方向に伸びるようにしてそれぞれ設けられ、
前記各基板の表面に、前記手摺りブラケットよりも該基板の幅方向他方側において、前記第２カバー部材を保持するための第２保持手段が、該基板の伸び方向に伸びるようにしてそれぞれ設けられ、
前記各基板の表面側両端部に、前記第１，第２保持手段の間において嵌合溝が形成され、
前記複数の基板における隣り合う基板間に、貫通状態の枠体部と該枠体部の両側から外方に伸びる一対の腕部とを備える組付け用治具が介在され、
前記組付け治具の枠体部内に前記手摺りブラケットの取付けフランジ部が嵌合されていると共に、前記各腕部が前記隣り合う基板の嵌合溝に嵌合されている、
ことを特徴とする手摺り。
【請求項３】
請求項１において、
前記各基板の表面に、前記手摺りブラケットよりも該基板の幅方向一方側において、前記第１カバー部材を保持するための第１保持手段が、該基板の伸び方向に伸びるようにしてそれぞれ設けられ、
前記各基板の表面に、前記手摺りブラケットよりも該基板の幅方向他方側において、前記第２カバー部材を保持するための第２保持手段が、該基板の伸び方向に伸びるようにしてそれぞれ設けられ、
前記各基板の表面側両端部に、前記第１，第２保持手段の間において嵌合溝が形成され、
前記手摺りブラケットとして、壁面に取付けるための取付けフランジ部と該取付けフランジ部の両側から外方に伸びる一対の腕部とを備えるものが用いられ、
前記取付けフランジ部が、壁面に前記所定間隔内において取付けられていると共に、前記一対の腕部が、該所定間隔を区画する隣り合う基板の前記嵌合溝に嵌合されている、
ことを特徴とする手摺り。
【請求項４】
壁面に、長尺な複数の基板を所定間隔毎に直列的に取付けると共に、前記所定間隔内において手摺りブラケットの取付けフランジ部を取付け、前記複数の基板にカバー部材を、該複数の基板の表面を覆うようにして保持する手摺りの組付け方法において、
前記カバー部材として、第１，第２カバー部材を用意し、
前記各基板として、該基板表面の幅方向一方側において、前記第１カバー部材を保持するべく該基板の伸び方向に伸びる第１保持手段と、該基板表面の幅方向他方側において前記第２カバー部材を保持するべく該基板の伸び方向に伸びる第２保持手段と、該基板表面の少なくとも端部において形成される嵌合溝と、を有するものを用意し、
前記壁面に前記複数の基板と前記取付けフランジ部とを取付けるに先立ち、組付け治具を用いて、隣り合う基板同士を、該隣り合う基板の第１保持手段同士、及び該隣り合う基板の第２保持手段同士が直列的にそれぞれ並ぶように位置決めると共に、該隣り合う基板に対して前記取付けフランジ部を、該取付けフランジ部が該隣り合う基板の幅領域内に収まるように位置決め、
この後、前記壁面に前記複数の基板と前記取付けフランジ部とを取付けることを経て、前記第１カバー部材を、前記手摺りブラケットよりも前記基板の幅方向一方側において、隣り合う基板間を跨いで前記複数の基板の表面を覆うようにしつつ、該各基板の第１保持手段に保持すると共に、前記第２カバー部材を、前記手摺りブラケットよりも前記基板の幅方向他方側において、隣り合う基板間を跨いで前記複数の基板の表面を覆うようにしつつ、該各基板の第２保持手段に保持することとし、
前記隣り合う基板同士を位置決めるに際しては、前記組付け治具として、貫通状態とされ前記取付けフランジ部を着脱可能に嵌合できる枠体部と、該枠体部の両側から外方に伸びて前記基板の嵌合溝に着脱可能に嵌合できる一対の腕部とを備えるものを用意して、該組付け治具の一対の腕部を前記隣り合う基板の嵌合溝に嵌合し、
前記隣り合う基板に対して前記取付けフランジ部を位置決めるに際しては、前記組付け治具の枠体部内に該取付けフランジ部を嵌合する、
ことを特徴とする手摺りの組付け方法。
【請求項５】
請求項４において、
前記隣り合う基板同士の位置決め及び前記隣り合う基板に対する取付けフランジ部の位置決めを経て、前記壁面に前記各基板と前記取付けフランジ部とを固定した後であって、前記第１，第２カバー部材を前記複数の基板に保持する前において、前記組付け治具を取り外す、
ことを特徴とする手摺りの組付け方法。
【発明の詳細な説明】
【技術分野】
【０００１】
本発明は、手摺り及び手摺りの組付け方法に関するものである。
【背景技術】
【０００２】
手摺り構造には、特許文献１に示すように、壁面に壁面ガードレールの基板を所定間隔毎に取付け、その各所定間隔に、手摺りを取付けるための手摺りブラケットを配置したものがある。このものにおいては、壁面ガードレールの上壁の一部を手摺りブラケットが担って連続性が確保されるものの、その手摺りブラケットの材質が各壁面ガードレールの材質と異なることから、違和感を生じる。
【０００３】
このため、壁面ガードレールの上壁が同一材料で連続するようにすべく、特許文献２に示すように、壁面ガードレールを、壁面に取付けるための長尺な基板と、その基板に係止させてその基板を覆うカバー部材とで構成したものにおいて、基板に上壁部と共にその上壁部の先端から下側に垂れる前垂部を形成し、その前垂部の先端部にカバー部材を係止するための係止部を形成すると共に、その前垂部に先端から内方に向けて切り欠きを形成したものがある。このものにおいては、手摺りブラケットを基板に固定しても、その手摺りブラケット（先端側）が前記切り欠きを介して外方に伸ばすことができることになり、壁面ガードレールの上壁を同一材料で連続するようにしつつ、カバー部材（の一端部）を、手摺りブラケットと干渉することなく、前垂部に係止できることになる。
【特許文献１】特開２００３−３０７００６号公報
【特許文献２】特開２００４−３３９７３９号公報
【発明の開示】
【発明が解決しようとする課題】
【０００４】
しかし、上記手摺り構造においては、壁面ガードレールの前垂部を切り欠いて切り欠きを形成しなければならず、このような切り欠き作業は、施工現場において、作業者がカッター等の切断手段を用いて行わなければならない。このため、作業者に負担を強いるだけでなく、仕上げの出来映えが作業者の熟練度に依存されることになる。
【０００５】
本発明は以上のような事情を勘案してなされたもので、その第１の技術的課題は、手摺りブラケットを挿通させるための切り欠きを形成しなくても、上壁を同一材料を用いて連続させることができる手摺りを提供することにある。
第２の技術的課題は、上記手摺りを施工するための手摺りの組付け方法を提供することにある。
【課題を解決するための手段】
【０００６】
前記第１の技術的課題を達成するために本発明（請求項１に係る発明）にあっては、
壁面に所定間隔毎に直列的に取付ける長尺な複数の基板と、壁面に前記所定間隔内において取付ける手摺りブラケットと、前記複数の基板に保持され該複数の基板の配列方向に伸びて該複数の基板を覆うカバー部材と、を備える手摺りにおいて、
前記カバー部材が、第１カバー部材と第２カバー部材とを備え、
前記第１カバー部材が、前記手摺りブラケットよりも前記基板の幅方向一方側において、隣り合う基板間をも跨ぐようにしつつ前記複数の基板の表面を覆うように設定され、
前記第２カバー部材が、前記手摺りブラケットよりも前記基板の幅方向他方側において、
隣り合う基板間をも跨ぐようにしつつ前記複数の基板の表面を覆うように設定され、
前記第１カバー部材と前記第２カバー部材との間に、該第１カバー部材と該第２カバー部材との間の目地を被覆する目地被覆部材が嵌め込まれている構成としてある。この請求項１の好ましい態様としては請求項２、３の記載の通りとなる。
【０００７】
前記第２の技術的課題を達成するために本発明（請求項４に係る発明）にあっては、
壁面に、長尺な複数の基板を所定間隔毎に直列的に取付けると共に、前記所定間隔内において手摺りブラケットの取付けフランジ部を取付け、前記複数の基板にカバー部材を、該複数の基板の表面を覆うようにして保持する手摺りの組付け方法において、
前記カバー部材として、第１，第２カバー部材を用意し、
前記各基板として、該基板表面の幅方向一方側において、前記第１カバー部材を保持するべく該基板の伸び方向に伸びる第１保持手段と、該基板表面の幅方向他方側において前記第２カバー部材を保持するべく該基板の伸び方向に伸びる第２保持手段と、該基板表面の少なくとも端部において形成される嵌合溝と、を有するものを用意し、
前記壁面に前記複数の基板と前記取付けフランジ部とを取付けるに先立ち、組付け治具を用いて、隣り合う基板同士を、該隣り合う基板の第１保持手段同士、及び該隣り合う基板の第２保持手段同士が直列的にそれぞれ並ぶように位置決めると共に、該隣り合う基板に対して前記取付けフランジ部を、該取付けフランジ部が該隣り合う基板の幅領域内に収まるように位置決め、
この後、前記壁面に前記複数の基板と前記取付けフランジ部とを取付けることを経て、前記第１カバー部材を、前記手摺りブラケットよりも前記基板の幅方向一方側において、隣り合う基板間を跨いで前記複数の基板の表面を覆うようにしつつ、該各基板の第１保持手段に保持すると共に、前記第２カバー部材を、前記手摺りブラケットよりも前記基板の幅方向他方側において、隣り合う基板間を跨いで前記複数の基板の表面を覆うようにしつつ、該各基板の第２保持手段に保持することとし、
前記隣り合う基板同士を位置決めるに際しては、前記組付け治具として、貫通状態とされ前記取付けフランジ部を着脱可能に嵌合できる枠体部と、該枠体部の両側から外方に伸びて前記基板の嵌合溝に着脱可能に嵌合できる一対の腕部とを備えるものを用意して、該組付け治具の一対の腕部を前記隣り合う基板の嵌合溝に嵌合し、
前記隣り合う基板に対して前記取付けフランジ部を位置決めるに際しては、前記組付け治具の枠体部内に該取付けフランジ部を嵌合する構成としてある。この請求項４の好ましい態様としては請求項５の記載の通りとなる。
【発明の効果】
【０００８】
請求項１に係る発明によれば、カバー部材として、基板の幅方向一方側に配設される第１カバー部材と、基板の幅方向他方側に配設される第２カバー部材とが用いられることから、複数の基板の幅方向一方側を下側に向けつつ当該手摺りを壁面に取付ければ、複数の基板の手摺りブラケットよりも上側領域を、その複数の基板の配列方向全長に亘って第２カバー部材により完全に覆うことができると共に、複数の基板の手摺りブラケットよりも下側領域を、その複数の基板の配列方向全長に亘って第１カバー部材により完全に覆うことができることになり、当該手摺りの上壁の途中に手摺りブラケットを介在させたり、手摺りブラケットのために特別に切り欠きを形成する必要がなくなる。このため、手摺りブラケットを挿通させるための切り欠きを基板に形成しなくても、上壁を同一材料を用いて連続させることができる手摺りを提供できることになる。
また、手摺りブラケットを、隣り合う基板間に配置して基板上に配置しないこととし、基板上で手摺りブラケットの位置決めをしないこととしていることから、基板上において手摺りブラケットを位置決めするための構成を不要とすることができ、基板上にカバー部材を保持するための構成だけを一体的に設けておくことができることになる。このため、基板上で手摺りブラケットの位置決めを行う場合のように、手摺りブラケットの位置決めが決まって初めて、カバー部材を保持する部材（カバー受け構造）を別途、基板上に組み付け、その後、その構成を利用してカバー部材を保持する必要性はなくなり、部品点数を少なくすることができることになる。
勿論この場合、目地被覆部材が第１カバー部材と第２カバー部材との間に嵌め込めれていることから、第１カバー部材と第２カバー部材とを連続的につなげてすっきり感を出すことができることになる。
【０００９】
請求項２に係る発明によれば、各基板の表面に、手摺りブラケットよりも該基板の幅方向一方側において、第１カバー部材を保持するための第１保持手段が、該基板の伸び方向に伸びるようにしてそれぞれ設けられ、各基板の表面に、手摺りブラケットよりも該基板の幅方向他方側において、第２カバー部材を保持するための第２保持手段が、該基板の伸び方向に伸びるようにしてそれぞれ設けられ、各基板の表面側両端部に、第１，第２保持手段の間において嵌合溝が形成され、複数の基板のうちの隣り合う基板間に、枠体部と該枠体部の両側から外方に伸びる一対の腕部とを備える組付け用治具が介在され、組付け治具の枠体部内に手摺りブラケットの取付けフランジ部が嵌合されていると共に、各腕部が隣り合う基板の嵌合溝に嵌合されていることから、基板として複数の基板を用いて、第１，第２カバー部材が、その複数の基板の配列方向全長に亘って覆う場合であっても、組付け時において、組付け治具を用いた位置決めに基づき、１枚の基板の場合と同様、各基板の第１保持手段を直列的に配列させて、第１カバー部材を各基板に的確に保持できると共に、各基板の第２保持手段を直列的に配列させて、第２カバー部材を各基板に的確に保持でき、さらには、手摺りブラケットを所望の位置に位置決めして、第１，第２カバー部材を適正な状態で各基板に取付けることができることになる。
しかも、当該手摺りの組付け後においては、その組付け治具がそのまま残ることから、上記状態を強固に保持できることになる。
【００１０】
請求項３に係る発明によれば、各基板の表面に、手摺りブラケットよりも該基板の幅方向一方側において、第１カバー部材を保持するための第１保持手段が、該基板の伸び方向に伸びるようにしてそれぞれ設けられ、各基板の表面に、手摺りブラケットよりも該基板の幅方向他方側において、第２カバー部材を保持するための第２保持手段が、該基板の伸び方向に伸びるようにしてそれぞれ設けられ、各基板の表面側両端部に、第１，第２保持手段の間において嵌合溝が形成され、手摺りブラケットとして、壁面に取付けるための取付けフランジ部と該取付けフランジ部の両側から外方に伸びる一対の腕部とを備えるものが用いられ、取付けフランジ部が、壁面に所定間隔内において取付けられていると共に、一対の腕部が、該所定間隔を区画する隣り合う基板の嵌合溝に嵌合されていることから、基板として複数の基板を用いて、第１，第２カバー部材が、その複数の基板の配列方向全長に亘って覆う場合であっても、組付け時において、手摺りブラケット（取付けフランジ部、一対の腕部）自体を組付け治具として用いて、１枚の基板の場合と同様、各基板の第１保持手段を直列的に配列させて、第１カバー部材を各基板に的確に保持できると共に、各基板の第２保持手段を直列的に配列させて、第２カバー部材を各基板に的確に保持でき、さらには、手摺りブラケット自体も基板に対して位置決めることができる。このため、この場合においても、第１，第２カバー部材を適正な状態で各基板に取付けることができることになる。
しかもこの場合、手摺りブラケットが組付け治具を兼ねることから、別途、組付け治具を用意しなくてもすむことになる。
【００１１】
請求項４に係る発明によれば、壁面に複数の基板と取付けフランジ部とを取付けるに先立ち、組付け治具を用いて、隣り合う基板を、該隣り合う基板の第１保持手段同士、及び該隣り合う基板の第２保持手段同士が直列的にそれぞれ並ぶように位置決めることから、基板として複数の基板が用いられて、第１，第２カバー部材が、その複数の基板の配列方向全長に亘って覆う場合であっても、組付け治具を用いた位置決めに基づき、各基板の第１保持手段を直列的に配列させて、第１カバー部材を各基板に的確に保持できると共に、各基板の第２保持手段を直列的に配列させて、第２カバー部材を各基板に的確に保持できることになる。しかも、隣り合う基板に対して手摺りブラケットの取付けフランジ部を、該取付けフランジ部が該隣り合う基板の幅領域内に収まるように位置決めることから、手摺りブラケットを所望の位置に位置決めして、第１，第２カバー部材を適正な状態で各基板に取付けることができることになる。そしてこの後、壁面に複数の基板と取付けフランジ部とを取付けることを経て、第１カバー部材を、前記手摺りブラケットよりも前記基板の幅方向一方側において、隣り合う基板間を跨いで複数の基板の表面を覆うようにしつつ、各基板の第１保持手段に保持すると共に、第２カバー部材を、手摺りブラケットよりも基板の幅方向他方側において、隣り合う基板間を跨いで複数の基板の表面を覆うようにしつつ、各基板の第２保持手段に保持することから、複数の基板の手摺りブラケットよりも上側領域が、その複数の基板の配列方向全長に亘って第２カバー部材により完全に覆われることになると共に、複数の基板の手摺りブラケットよりも下側領域が、その複数の基板の配列方向全長に亘って第１カバー部材により完全に覆われることになり、前記請求項１に係る手摺りを得ることができることになる。
【００１２】
また、当該方法を用いれば、手摺りブラケットを、隣り合う基板間に配置して基板上に配置しないこととし、基板上で手摺りブラケットの位置決め（基板の伸び方向或いは幅方向の位置決め）をしないこととしていることから、基板上において手摺りブラケットを位置決めするための構成を不要とすることができ、基板上にカバー部材を保持するための構成だけを一体的に設けることができることになる。このため、基板上で手摺りブラケットの位置決めを行う場合のように、手摺りブラケットの位置決めが決まって初めて、カバー部材を保持する部材（カバー受け構造）を別途、基板上に組み付け、その後、その構成を利用してカバー部材を保持する必要性はなくなり、部品点数を少なくすることができることになる。
【００１３】
さらに、各基板として、表面に、少なくとも端部において嵌合溝を有するものが用いられ、組付け治具として、手摺りブラケットの取付けフランジ部を着脱可能に嵌合できる枠体部と、該枠体部の両側から外方に伸びて基板の嵌合溝に着脱可能に嵌合できる一対の腕部とを備えるものが用いられ、隣り合う基板同士を位置決めるに際し、組付け治具の一対の腕部を隣り合う基板の嵌合溝に嵌合し、隣り合う基板に対して手摺りブラケットを位置決めるに際して、組付け治具の枠体部内に該手摺りブラケットの取付けフランジ部を嵌合することから、枠体部と一対の腕部とを備える組付け治具を用いることにより、的確に前記請求項１に係る手摺りを得ることができることになる。
【００１４】
請求項５に係る発明によれば、隣り合う基板同士の位置決め及び隣り合う基板に対する取付けフランジ部の位置決めを経て、壁面に各基板と取付けフランジ部とを固定した後であって、第１，第２カバー部材を複数の基板に保持する前において、組付け治具を取り外すことから、取付けフランジ部、嵌合溝に対する着脱可能な嵌合関係を利用して、第１，第２カバー部材に干渉させることなく、組付け治具を容易に取り外すことができることになり、当該組付け治具を１つ用意するだけで、他の個所の位置決めにも使い廻すことができることになる。
【発明を実施するための最良の形態】
【００１５】
図１において、符号１Ａは、建築物、例えば病院や介護施設の廊下の壁体１の壁面である。この壁面１Ａには、床面から一定高さをもって腰壁２が設けられていると共に、その腰壁２の上側において、手摺り３が略水平方向に伸びるようにして取付けられている。
【００１６】
前記手摺り３は、見切り材４と手摺りユニット５とを備えている。見切り材４の高さ位置は、図示を略すストレッチャーが当接されることの多い高さ位置に設定され、手摺りユニット５の高さ位置は、起立歩行者が横に手を伸ばした高さ位置となるように設定されている。
【００１７】
前記見切り材４は、図１〜図４に示すように、複数の基板６と、カバー部材８と、目地被覆部材９とを有する。
【００１８】
前記各基板６は、図２〜図５に示すように、一定幅を維持しつつ一方向に伸びる長尺な板状体として形成されている。この各基板６は、その背面が壁面１Ａに沿わせるべく平坦面に形成されている一方、その各基板６の表面側には、その基板６の伸び方向全長に亘って、カバー受け構造７が一体的に形成されている。各基板６は、その幅方向一方側を下側に向けつつ、腰壁２の上方側において、その基板６の背面が壁面１Ａ（２枚のボード）に当接されており、その状態は、基板６の幅方向略中央部分を壁体１及びその裏面側に配置される補強板１０に留めねじ２０によって固定することにより、保持されている。この各基板６は、基板６の配置だけを示す図５からも明らかなように、略水平方向に直列的に配置されており、その隣り合う基板６間には、後述の取付けブラケットが収納できる程度の所定間隔Ｌがあけられている。
【００１９】
前記カバー受け構造７は、図２〜図５に示すように、被係止部（第１保持手段の一つ）１２と、被係止部（第２保持手段の一つ）１３と、一対の起立部１８ａ，１８ｂと、一対の湾曲部１９ａ，１９ｂと、一対の突条３０とを有している。
被係止部１２は、基板６の表面側の下部（幅方向一方側端部）において一体的に設けられ、被係止部１３は、基板６の上部（幅方向他方側端部）において一体的に設けられている。この両被係止部１２，１３は共通の構成とされており、その各被係止部１２（１３）は、前方つまり壁面１Ａから離れる方向に突出する垂直片部としての第１部分１２ａ（１３ａ）と、その第１部分１２ａ（１３ａ）の先端部から基板６の幅方向外方側に折曲される第２部分１２ｂ（１３ｂ）とを有している。この各被係止部１２（１３）の第１，第２部分１２ａ、１２ｂ（１３ａ、１３ｂ）は、平行状態を維持しつつ基板６の伸び方向全長に亘って形成されており、基板６の下部（幅方向一方側）には、その基板６と被係止部１２の第１，第２部分１２ａ、１２ｂとによって、下方側に開口する下側係合溝１４が形成され、基板６の上部（幅方向他方側）には、その基板６と被係止部１３の第１，第２部分１３ａ、１３ｂとによって、上方側に開口する上側係合溝１５が形成されている。
【００２０】
一対の起立部１８ａ，１８ｂは、基板６の幅方向内方側において、前記留めねじ２０を間に入れて一定間隔をあけつつ、該基板６から起立されており、その一対の起立部１８ａ，１８ｂは、基板６の伸び方向全長に亘って、平行状態を保ちつつ伸びている。
【００２１】
一対の湾曲部１９ａ，１９ｂは、前記各起立部１８ａ，１８ｂの起立端部から、滑らかな曲面を保ちつつ、基板６の幅方向外方側に向うに従って該起立部１８ａ（１８ｂ）の起立方向とは反対側（基板６側）に向うよう伸びており、一対の湾曲部１９ａ，１９ｂの先端部は、前記両被係止部１２，１３の第１部分１２ａ、１３ａに一体的に連なっている。このカバー受け構造７は、基板６の幅方向一方側（下側）に配置される湾曲部１９ａと起立部１８ａとの交差部の形状を利用して、被係止部（第１保持手段）２１を形成しており、本実施形態においては、湾曲部１９ａと起立部１８ａとの交差部分を一対の起立部１８ａ，１８ｂ間に若干、突出させて、係合突部２２ａが形成されている。同様に、基板６の幅方向他方側（上側）に配置される湾曲部１９ｂと起立部１８ｂとは、その交差部の形状を利用して、被係止部（第２保持手段）２３を形成しており、その湾曲部１９ｂと起立部１８ｂとの交差部分においても、一対の起立部１８ａ，１８ｂ間に若干、突出する係合突部２２ｂが形成されている。この場合、基板６表面からの被係止部２１（２３）の突出寸法は、基板６表面からの前記被係止部１２（１３）の突出寸法よりも大きくされている。
【００２２】
一対の突条３０は、前記一対の起立部１８ａ，１８ｂ間において、基板６表面から起立されており、それらは、基板６の伸び方向全長に亘って伸びている。この一対の突条３０は、リブとしての機能の他に、後述の目地被覆部材９の高さ調整、さらには、後述の組付け治具５１の嵌合溝としても機能することになっている。
【００２３】
前記カバー部材８は、図１〜図４に示すように、下側カバー部材（第１カバー部材）２４と、上側カバー部材（第２カバー部材）２５とを有している。
下側カバー部材２４は、複数の基板６の幅方向一方側（下側）に配置されて、隣り合う基板６間を含めその複数の基板６（カバー受け構造７）の伸び方向全体を覆っている。上側カバー部材２５は、複数の基板６の幅方向他方側（上側）に配置されて、隣り合う基板６間を含めその複数の基板６（カバー受け構造７）の伸び方向全体を覆っている。各カバー部材２４（２５）は、ある程度の可撓性を有する板状体として形成されており、その各カバー部材２４（２５）は、一定幅を維持しつつ複数の基板６の配列方向長さと同じ長さだけ伸び、その各一定幅は、前記被係止部１２（１３）と前記被係止部２１（２３）との間の距離もよりも十分に長い長さに設定されている。この下側カバー部材２４の裏面には、各基板６の被係止部２１に係止される第１係止部２６と、各基板６の被係止部１２に係止される第２係止部２７とが設けられ、上側カバー部材２５の裏面には、各基板６の被係止部２３に係止される第３係止部２８と、各基板６の被係止部１３に係止される第４係止部２９とが設けられている。この第１係止部２６と第３係止部２８とは同じ構成とされ、第２係止部２７と第４係止部２９とは同じ構成とされている。第１係止部２６及び第３係止部２８は、各カバー部材２４（２５）の幅方向一端においてその伸び方向全長に亘って突設されており、それらは、被係止部２１（２３）に係止できるようにすべく、爪部を有する形状とされている。第２係止部２７及び第４係止部２９は、各カバー部材２４（２５）の幅方向中央部よりもやや幅方向外方側において位置されており、それらは、各カバー部材２４（２５）の伸び方向全長に亘って、各カバー部材２４（２５）の裏面から離れる方向に突出する第１部分２７ａ（２９ａ）と、その第１部分２７ａ（２９ａ）の先端部から第１係止部２６（第３係止部２８）側に向けて折曲される第２部分２７ｂ（２９ｂ）とを有する構成とされている。
【００２４】
このような各基板６の被係止部１２に下側カバー部材２４の第２係止部２７が係止されていると共に、各基板６の被係止部２１に第１係止部２６が係止されている。これにより、下側カバー部材２４は、各基板６に保持され、その下側カバー部材２４は、各基板６（各カバー受け構造７）を下側において複数の基板６の伸び方向全体に亘って完全に覆うだけでなく、それらを超えて下方向に伸びることになっている。この下側カバー部材２４の基板６を超える下側部分２４ａは、腰壁２の上部を覆い隠すことになっており、これに基づき、下側カバー部材２４（見切り材４）と腰壁２との見切り線をきちんとできると共に腰壁２の木口処理を不要とできることになっている。
しかもこの場合、下側カバー部材２４がある程度の可撓性を有すると共に、各基板６の被係止部１２の突出寸法が各基板６の被係止部２１の突出寸法よりも短くされて、下側カバー部材２４が腰壁２側に倒れるように傾斜されていることから、下側カバー部材２４は、腰壁２表面に当接して、その様々な板厚に従って撓み、様々な板厚の腰壁２に対して的確に対応できることになっている。
【００２５】
同様に、各基板６の被係止部１３に上側カバー部材２５の第４係止部２９が係止されていると共に、各基板６の被係止部２３に第３係止部２８が係止されて、上側カバー部材２５は、各基板６に保持されることになっており、その上側カバー部材２５は、各基板６（各カバー受け構造７）を上側において基板６の伸び方向全体に亘って完全に覆うと共に、それらを超えて上方向に伸びることになっている。
【００２６】
前記目地被覆部材９は、図１，図２，図１０に示すように、後述の手摺りユニット５（取付けブラケット３１）の両側に隣り合うようにしつつ、前記下側カバー部材２４と前記上側カバー部材２５との間に嵌め込まれている。この目地被覆部材９は、断面コ字状態で伸びる形状とされており、その目地被覆部材９は、その開口側が基板６側に向けて嵌め込まれて、見切り材４の表面を略滑らかな連続面に形成すると共に、抜け出ないようにすべく、第１，第３係止部２６，２８を各基板６の被係止部２１，２３に押し付ける機能を果たすことになっている。この場合、目地被覆部材９の開口端がカバー受け構造７の一対の突条３０に当接して、見切り材４の表面を連続面とするために高さ調整がなされることになる。
【００２７】
前記手摺りユニット５は、図１〜図３に示すように、複数の取付けブラケット３１（手摺りブラケット）と手摺り本体３２とを有しており、手摺り本体３２が複数の取付けブラケット３１を介して壁体１に取付けられることになっている。
前記各取付けブラケット３１は、本実施形態においては、下側カバー部材２４と上側カバー部材２５とを取り除いた状態を示す図８からも明らかなように、取付けフランジ部３３と、その取付けフランジ部３３に一体的に設けられる支持片部３４とを有している。取付けフランジ部３３は、略正方形の板状に形成されており、その高さは、前記上下の被係止部（第２，第４被係止部）１２，１３間の長さ程度に設定され、その幅は隣り合う基板６間の所定間隔よりも小さめに設定され、その厚みはカバー受け構造７（湾曲部１９ａ，１９ｂ）の厚みよりも薄く設定されている。この取付けフランジ部３３は、各隣り合う基板６間に配置されることになっており、そこにおいて、留めねじ３５を用いることにより壁体１、補強板１０又は下地部材に固定されることになっている。
【００２８】
前記支持片部３４は、前記取付けフランジ部３３表面の略中央部から前方へ略水平に伸びる突出部３７とその突出部３７に連続する起立部３８とを有している。突出部３７は、前記下側カバー部材２４と前記上側カバー部材２５との間の空間を貫通して前方へ伸びており、この構成に基づき、前記上側カバー部材２５は、突出部３７に干渉することなく、各基板６（各カバー受け構造７）の上側部分を完全に覆うことになっている。この突出部３７は、基板６の表面に近づくに従って該基板６の伸び方向に拡がることになっており、その突出部３７には、基板６の伸び方向両側において、切り欠き３９が形成されている。この両切り欠き３９には、前記目地被覆部材９の端部が嵌め込まれており、この切り欠き３９に基づき、目地被覆部材９の切断誤差をその突出部３７の切り欠き段部４０により隠すことができると共に、熱膨張に基づく目地被覆部材９の変位を吸収でき、さらには、その切り欠き段部４０に基づき目地被覆部材９が見切り材４の表面側に抜け出ることを規制できることになっている。
【００２９】
前記起立部３８は、突出部３７の先端部から上方へ向けて伸びている。その起立部３８の起立端部には手摺り本体３２が取付けられている。
【００３０】
前記手摺り本体３２は、外観上、歩行者が握ることができる程度の径の棒部材として形成されており、その手摺り本体３２は、心材部４１と、心材部４１の全周囲を囲む被覆部４２とにより構成されている。心材部４１は、例えばアルミニウム合金等の金属材を押し出し成形することによって形成されて、留めねじ４３によって支持片部３４に固定されており、被覆部４２は、例えば軟質合成樹脂を押し出し成形することにより形成されている。
【００３１】
次に、壁面１Ａに対する上記手摺り３の取付けについて説明する。
先ず、図５に示すように、腰壁２上方の壁面１Ａに、複数の基板６を、所定間隔Ｌ毎に留めねじ２０を用いて固定し、複数の基板６が所定間隔Ｌ毎に直列に連なるように配置する。
【００３２】
この複数の基板６の取付けにおいては、図６〜図８に示すように、組付け治具５１が用いられる。この組付け治具５１は、枠体部５２と、その枠体部５２の両側から外方へ一定幅を維持しつつ伸びる一対の腕部５３とを有している。枠体部５２は、その周囲だけが区画されて貫通状態とされ、その大きさ及び形状は、その内部に前記取付けブラケット３１の取付けフランジ部３３を嵌合できるもの（本実施形態においては、取付けフランジ部３３の略正方形に対応した大きさ）とされている。各腕部５３は、その軸心方向を一致させた状態で互いに真っ直ぐに伸びており、その各腕部５３の幅は、前記一対の突条３０間（嵌合溝）に嵌め込むことができる長さとされている。
【００３３】
このような組付け治具５１は、２つの基板６を壁体１に取付けるに際しては、図６に示すように、その各腕部５３を各基板６の一対の突条３０間に、その両基板６の端面が枠体部５２の側面に当接するようにしつつ嵌め込み、２つの基板６を組付け治具５１を介して一体化する。組付け治具５１により、隣り合う基板６間において、被係止部２１（第１保持手段）同士、被係止部１２（第１保持手段）同士、被係止部２３（第２保持手段）同士、被係止部１３（第２保持手段）同士をそれぞれ直列に配置して、下側カバー部材２４（第１，第２係止部２６，２７）、上側カバー部材（第３，第４係止部２８，２９）が的確に係止できるようにするためである。そしてこの後、この一体化物を、例えば、腰壁２上方の壁面１Ａに略水平状態となるように当接させ、その状態を維持すべく、各基板６を壁体１に留めねじ２０により固定する。これにより、２つの基板６が所定間隔Ｌを開けて直列に並ぶと共に、両基板６において、上縁部同士の高さ位置、下縁部同士の高さ位置が、それぞれ等しくなる。
【００３４】
勿論この場合、別の取付け方法として、一方の基板６を、略水平になるようにした状態で、先に壁体１に取付けておき、その後、その一方の基板６における一対の突条３０間と、取付けるべき他方の基板６における一対の突条３０間とに組付け治具５１の腕部５３をそれぞれ嵌め込み、一方の基板６に対して、組付け治具５１を介して他方の基板６の位置合わせを行ってもよい。この方法は、基板６を順次、追加して取付ける場合に有効な方法である。
【００３５】
次に、図７に示すように、手摺り本体３２を取付けるための取付けブラケット３１の取付けフランジ部３３を組付け治具５１における枠体部５２内に嵌め込む。隣り合う基板６に対して取付けブラケット３１を位置決めるためである。このとき、取付けフランジ部３３は、取付けブラケット３１の起立部３８に上方に向けて起立させた姿勢を採らせつつ枠体部５２内に嵌め込まれるが、取付けフランジ部３３は、組付け治具５１（枠体部５２）により、両基板６の幅領域の所定の位置に位置決められて、下側、上側カバー部材２４，２５が各基板６に取付けられるとき、それらに突出部３７等が干渉しないことになる。この状態は、留めねじ３５を用いて取付けフランジ部３３を壁体１に固定することにより、維持され、同様の作業は、他の隣り合う基板６間においても行われる。
【００３６】
次に、図８に示すように、組付け治具５１が両基板６から外される。これにより、基板、取付けブラケット３１が、所定の位置関係をもって壁体１に取付けられたことになる。
【００３７】
次に、図８，図９に示すように、各基板６に対して、下側カバー部材２４及び上側カバー部材２５を係止する。この場合、各基板６に対して下側カバー部材２４を取付けるに際して、基板６の被係止部１２に下側カバー部材２４の第２係止部２７を係止すると共に基板６の被係止部２１に下側カバー部材２４の第１係止部２６を係止することになるが、このとき、各基板６における被係止部１２（２１）が、間欠的であるものの、直線的に並ぶことになっており、これにより、下側カバー部材２４において直線的に伸びる係止部２７（２６）を各基板６の被係止部１２（２１）に的確に係止させることができることになる。
【００３８】
これに伴い、下側カバー部材２４の下側カバー部分２４ａが腰壁２の上部を飲み込んだ状態で当接し、腰壁２と見切り材４との見切り線をきちんとすると共に、腰壁２の木口処理を不要とすることになる。しかもこの場合、各基板６からの被係止部１２の突出寸法が被係止部２１の突出寸法よりも少ないことに基づき、下側カバー部材２４が腰壁２側に倒れるように傾斜していて、その傾斜姿勢が、その下側カバー部材２４の可撓性と相まって、その下側カバー部材の下側カバー部分２４ａを腰壁２の板厚に応じて撓ませることになり、様々な板厚の腰壁２に対応できることになる。
【００３９】
一方、基板６に対して上側カバー部材２５を取付けるに際しては、基板６の被係止部１３に上側カバー部材２５の第４係止部２９を係止すると共に基板６の被係止部２３に上側カバー部材２５の第３係止部２８を係止する。この場合も、前記下側カバー部材２４の場合同様、各基板６の被係止部１３（２３）が、間欠的であるものの直線的に並ぶことになり、それらに対して上側カバー部材２５の係止部２９（２８）を的確に係止させることができることになる。これにより、上側カバー部材２５が、取付けブラケット３１（突出部３７）よりも上側において、各基板６（各カバー受け構造７）を該各基板６の伸び方向全体に亘って覆うことになる。このとき、上側カバー部材２５も可撓性部材とされ、その上側カバー部材２５の上端側（幅方向他方側）が壁面１Ａ側に当接するように傾斜していることから、壁体１に貼られるクロス等の様々な厚みに対して的確に対応できることになる。
【００４０】
次に、図１０に示すように、前記下側カバー部材２４と上側カバー部材２５との間に、取付けブラケット３１（突出部３７）を挟むようにしつつ、目地被覆部材９を嵌め込む。見切り材４の表面を連続面とすると共に、第１，第３係止部２６，２８を被係止部２１，２３に押し付けて、各カバー部材２４（２５）が外れることをより確実に防止するためである。この場合、両目地被覆部材９の端部は、取付けブラケット３１における突出部３７の切り欠き３９内に入れ込まれ、外見上、目地被覆部材９の表面から突出部３７が植立されているようにされる。これにより、見栄えを向上させることができるだけでなく、目地被覆部材９の切断作業で、短い方向において寸法誤差が生じても、突出部３７の切り欠き３９に基づく切り欠き段部４０により隠すことができると共に、熱膨張に基づく目地被覆部材９の変位を切り欠き３９が形成する空間により吸収できることになる。しかも、目地被覆部材９が切り欠き３９内に入り込んで、その切り欠き段部４０の後方側に位置することから、目地被覆部材９が前方に移動することがその切り欠き段部により規制されることになり、目地被覆部材９が前方側に抜け出ることを防止できることになる。
【００４１】
次に、上記のようにして取付けた複数の取付けブラケット３１に手摺り本体３２を取付け、取付け作業を終える（図１〜図３参照）。
【００４２】
したがって、このような手摺り３を壁面１Ａに取付けた場合には、基板６の取付けブラケット３１（突出部３７）よりも上側領域が、その基板６の伸び方向全長に亘って上側カバー部材２５により覆われ、基板６の取付けブラケット３１（突出部３７）よりも下側領域が、その基板６の伸び方向全長に亘って下側カバー部材２４により覆われることから、見切り材４の上壁の途中に取付けブラケット３１（突出部３７）が介在されたり、取付けブラケット３１のために特別に切り欠きを形成する必要がなくなる。
また、可撓性を有する下側カバー部材２４の下側部分２４ａが、腰壁２の表面に的確に当接してその上部を覆い隠すことになり、様々な板厚の腰壁２において、下側カバー部材２４（見切り材４）と腰壁２との見切り線をきちんとできると共に腰壁２の木口処理を不要にできることになる。
【００４３】
さらに、手摺り３の組付けに際しては、各基板６に位置決め手段を設けなくても、組付け治具５１を用いることにより、隣り合う基板６同士の位置決め、両基板６に対する取付けフランジ部３３の位置決めを行うことができ、これにより、各基板６を、保持手段として被係止部１２（２１，１３，２３）を有するだけの構成のものとし、位置決め手段を省くことができることになり、部品点数を減らすことができることになる。
すなわち、基板６上で取付けフランジ部３３の位置決めを行う場合（複数の基板ではなく１枚の基板で構成される場合）には、取付けフランジ部３３の位置決め位置が決まるまで、干渉を回避すべく、カバー部材を保持する部材（カバー受け構造）を設けることができず、取付けフランジ部３３を位置決めて基板６に取付けた後、カバー部材を保持する部材を、別途、基板上に組み付け、その構成を利用してカバー部材を保持することになるが、本実施形態においては、取付けフランジ部３３を、隣り合う基板６間に配置して基板６上に配置しないこととし、基板６上で取付けフランジ部３３の位置決めをしないこととしていることから、基板６上において取付けブラケット３１を位置決めするための構成を不要とすることができ、基板６上にカバー部材を保持するための構成だけを一体的に設けておくことができることになる。このため、部品点数（取付けフランジ部３３の位置決め手段に関して）を少なくできることになる。
【００４４】
尚、この第１実施形態においては、組付け治具５１における枠体部５２の両側面に各基板６の端面を当てて、横方向の位置決めをもしているが、この部分については、下側、上側カバー部材２４，２５により覆われることから、位置決めせずに多少、離間させておいても問題はない。
また、この第１実施形態においては、取付けブラケット３１を壁体１に取付けた後、組付け治具５１を取り外すこととしているが、組付け治具５１を、そのままにした状態で、下側カバー部材２４、上側カバー部材２５及び目地被覆部材９を取付けるようにしてもよい。これにより、上記位置決め状態を維持しつつ、強度を高めることができることになる。
【００４５】
図１１〜図１３は第２実施形態、図１４は第３実施形態を示すものである。各実施形態において、前記実施形態と同一構成要素については同一符号を付してその説明を省略する。
【００４６】
第２実施形態においては、図１１〜図１３に示すように、組付け治具５１として、第１ガイド部材５４と、第２ガイド部材５５とからなるものが用いられている。第１ガイド部材５４は、真っ直ぐに伸びる部材とされており、少なくとも上部又は下部には、案内面が確保されている。第２ガイド部材５５は、本実施形態においては、上縁部５６と一対の側縁部５７とにより、一定厚みのコ字形状を形成しており、その第２ガイド部材５５内は、前記取付けフランジ部３３が嵌合できる大きさに設定されている。
【００４７】
このような組付け治具５１を用いて手摺りを組付けるに際しては、先ず、第１ガイド部材５４を用いる。この第１ガイド部材５４は、例えば、図１１に示すように、腰壁２の上方側の壁面１Ａに略水平状態に保持され、その第１ガイド部材５４に各基板６の幅方向一方側縁が当接される。そして、その状態は、その基板６を留めねじ２０によって壁面１Ａに固定することにより、維持される。他の基板６についても、同様の作業が行われ、このとき、先に取付けられている基板６に対して所定間隔Ｌがあけられる。これにより、複数の基板６が所定間隔Ｌ毎に直列に壁面１Ａに取付けられたことになり、隣り合う基板６同士の位置決め（上下方向の位置決め）が行われたことになる。この場合、所定間隔Ｌは、前述した如く、下側、上側カバー部材２４，２５により覆われることから、厳密に所定間隔Ｌを決める必要はない。
【００４８】
次に、第２ガイド部材５５の上縁部５６を、図１１に示すように、隣り合う基板６間において、開口側を下方に向けつつ、第１ガイド部材５４に当接させる。その上で、図１２に示すように、その第２ガイド部材５５内に取付けブラケット３１の取付けフランジ部３３を入れ、その取付けフランジ部３３を第２ガイド部材５５（上縁部５６）を介して第１ガイド部材５４に当接させる。これにより、取付けフランジ部３３は、第２ガイド部材５５の上縁部５６の肉厚に基づき、第１ガイド部材５４から一定間隔Ｍだけ離間されて、隣り合う基板６間において、その隣り合う基板６の幅領域内で所定位置に位置されることになる。
本実施形態においては、第２ガイド部材５５としてコ字形状のものが使用されているが、これは、手での把持し易さ等の作業性を考慮したためである。この場合、第２ガイド部材５５の側縁部５７により、隣り合う基板６の横方向の位置決めをも行う場合には、第１ガイド部材５４により基板６を位置決めする前に、取付けフランジ部３３の取付け位置を決めてその位置において第２ガイド部材５５を第１ガイド部材５４に取付け（図１１の状態）、その後、基板６に対して、上下方向における位置決めを第１ガイド部材５４により行いつつ、第２ガイド部材５５の側縁部５７に基板６端面を当ててその横方向の位置決めを行うことになる。
勿論、第２ガイド部材５５が、隣り合う基板６に対する取付けフランジ部３３の位置決めを行うことから、基本的には、第１ガイド部材５４から一定間隔Ｍだけ離間する機能を発揮すればよく、この観点から、第２ガイド部材５５として、一定厚の帯材のような簡素なものを用いてもよい。
【００４９】
次に、図１２，図１３に示すように、上記状態を手で維持しつつ、取付けフランジ部３３を留めねじ３５により壁面１Ａに固定し、その後、組付け治具５１（第１，第２ガイド部材５４，５５）を取り外す。この後、前記第１実施形態同様、下側、上側カバー部材２４，２５を各基板６に対して取付ける。
【００５０】
したがって、この第２実施形態においても、第１，第２ガイド部材５４，５５を用いることにより、前記第１実施形態と同様の作用効果を得ることができることになる。
【００５１】
図１４に示す第３実施形態は、取付けブラケット３１に前記第１実施形態に係る組付け治具としての機能をも持たせた内容を示している。
すなわち、取付けブラケット３１における取付けフランジ部３３の横方向（図１４中、左右方向）両側には、前記第１実施形態に係る組付け治具５１の一対の腕部５３に相当する一対の腕部６０が設けられている。
【００５２】
これにより、２つの基板６を壁体１に取付けるに際しては、図１４に示すように、その各腕部６０を各基板６の一対の突条３０間に、その両基板６の端面が取付けフランジ部３３の側面に当接するようにしつつ嵌め込み、２つの基板６を取付けフランジ部３３及び一対の腕部６０を介して一体化すれば、隣り合う基板６間において、被係止部２１（第１保持手段）同士、被係止部１２（第１保持手段）同士、被係止部２３（第２保持手段）同士、被係止部１３（第２保持手段）同士がそれぞれ直列に配置されることになり、その一体化物を、例えば、腰壁２上方の壁面１Ａに略水平状態となるように当接させた状態で、各基板６及び取付けフランジ部３３を壁体１に固定すれば、２つの基板６が、取付けフランジ部３３を間に挟んで直列に並ぶと共に、両基板６において、上縁部同士の高さ位置、下縁部同士の高さ位置が、それぞれ等しくなり、下側カバー部材２４（第１，第２係止部２６，２７）、上側カバー部材（第３，第４係止部２８，２９）は、各基板６に的確に係止される。
【００５３】
勿論この場合も、別の取付け方法として、一方の基板６を、略水平になるようにした状態で、先に壁体１に取付けておき、その後、その一方の基板６における一対の突条３０間と、取付けるべき他方の基板６における一対の突条３０間とに取付けブラケット３１の腕部６０をそれぞれ嵌め込み、一方の基板６に対して、取付けブラケット３１を介して他方の基板６の位置合わせを行ってもよい。
【００５４】
したがって、この第３実施形態においては、取付けブラケット３１が組付け治具をも兼ねていることから、特別に組付け治具を用意しなくても、前記第１実施形態同様の作用効果を得ることができる。
【００５５】
以上各実施形態について説明したが、見切り材４の構成要素としての材質としては合成樹脂、取付けブラケット３１の材質としては金属が好ましいが、これらに限らず、種々のものを適宜用いることができる。
【００５６】
尚、本発明の目的は、明記されたものに限らず、実質的に好ましい或いは利点として記載されたものに対応したものを提供することをも含むものである。
【図面の簡単な説明】
【００５７】
【図１】第１実施形態に係る手摺りが壁面に取付けられた状態を示す部分正面図。
【図２】第１実施形態に係る手摺りが壁面に取付けられた状態を示す斜視図。
【図３】図１の３Ｘ−３Ｘ線拡大断面図。
【図４】図１の４Ｘ−４Ｘ線拡大断面図。
【図５】第１実施形態において、他の構成要素を省き基板だけが壁面に取付けられた状態を示す斜視図。
【図６】第１実施形態に係る手摺りの施工方法（手摺りの組付け方法）を説明する説明図。
【図７】図６の続きを示す動作状態図。
【図８】図７の続きを示す動作状態図。
【図９】第１実施形態において、基板、取付けブラケット、カバー受け部材及び上下のカバー部材が壁面に取付けられている状態を示す斜視図（図８の続きを示す動作状態図）。
【図１０】第１実施形態において、見切り材（基板、取付けブラケット、カバー受け構造、上下のカバー部材、目地被覆部材）が壁面に取付けられている状態を示す斜視図（図９の続きを示す動作状態図）。
【図１１】第２実施形態に係る手摺りの施工方法（手摺りの組付け方法）を説明する説明図。
【図１２】図１１の続きを示す動作状態図。
【図１３】図１２の続きを示す動作状態図。
【図１４】第３実施形態に係る手摺りの構造を説明する説明図。
【符号の説明】
【００５８】
１Ａ：壁面
３：手摺り
５：手摺りユニット
６：基板
７：カバー受け構造
８：カバー部材
９：目地被覆部材
１２：被係止部（第１保持手段）
１３：被係止部（第２保持手段）
２１：被係止部（第１保持手段）
２３：被係止部（第２保持手段）
２４：下側カバー部材（第１カバー部材）
２４ａ：下側カバー部材（第１カバー部材）の下側部分
２５：上側カバー部材（第２カバー部材）
２６：第１係止部
２７：第２係止部
２８：第３係止部
２９：第４係止部
３０：一対の突条（嵌合溝）
３１：取付けブラケット（手摺りブラケット）
３３：取付けフランジ部
５１：組付け治具
５２：枠体部
５３：腕部
５４：第１ガイド部材
５５：第２ガイド部
６０：腕部
Ｌ：所定間隔
Ｍ：一定間隔
【図１】
0004646224.tif 000002
【図２】
0004646224.tif 000003
【図３】
0004646224.tif 000004
【図４】
0004646224.tif 000005
【図５】
0004646224.tif 000006
【図６】
0004646224.tif 000007
【図７】
0004646224.tif 000008
【図８】
0004646224.tif 000009
【図９】
0004646224.tif 000010
【図１０】
0004646224.tif 000011
【図１１】
0004646224.tif 000012
【図１２】
0004646224.tif 000013
【図１３】
0004646224.tif 000014
【図１４】
0004646224.tif 000015